(57)【要約】  本発明は通信領域に関し、特に異質ネットワーク中の上り干渉を解決する方法及び装置に関する。該方法は、端末装置の上りチャンル品質を監視測定し；上り干渉が出現した時に、上りＡＢＳを取得し、該上りＡＢＳ中にマクロセル中の端末装置が送信パワーを下げ又はパワー無し送信を行い；前記上りＡＢＳ上で、上り干渉を受けている端末装置が上り通信を行うようにスケジューリングすることを含む。本発明の実施例により、マクロセルの端末装置の上りデータ伝送がマイクロセルの端末装置の上り受信に干渉を与えることを避け、マイクロセル中の端末装置の上りチャンル品質を保証することができる。
2015511798.tif 000002
【特許請求の範囲】
【請求項１】
異質ネットワーク中の上り干渉を解決する方法であって、
端末装置の上りチャンル品質を監視測定し；
上り干渉が出現した時に、上りＡＢＳを取得し、該上りＡＢＳ中にマクロセル中の端末装置が送信パワーを下げ又はパワー無し送信を行い；及び
前記上りＡＢＳ上で、上り干渉を受けている端末装置が上り通信を行うようにスケジューリングすることを含む、方法。
【請求項２】
請求項1に記載の方法であって、
上り干渉が出現した時に、マイクロセルの端末装置に上り干渉を与えているマクロ基地局に通知する、方法。
【請求項３】
請求項2に記載の方法であって、
通知を送信すると同時に、マクロ基地局に、上りＡＢＳの分配を要求する、方法。
【請求項４】
請求項2に記載の方法であって、
通知を送信した後に、マクロ基地局が分配した上りＡＢＳを受信することを更に含む、方法。
【請求項５】
請求項1に記載の方法であって、
上り干渉が出現した時に、マクロ基地局が分配した下りＡＢＳに基づいて、計算により、それ相応のアイドル上りサブフレームを取得し、該アイドル上りサブフレームを上りＡＢＳとする、方法。
【請求項６】
請求項1に記載の方法であって、
前記上りＡＢＳ上で、上り干渉を受けている端末装置が上り通信を行うようにスケジューリングすることは、更に、
上り干渉を受けている端末装置が前記上りＡＢＳにてチャンルＳＲＳを送信して、前記上り干渉を受けている端末装置が上りＡＢＳにおけるチャンル品質を取得するように構成し、前記チャンル品質に基づいて、上り干渉を受けている端末装置が前記上りＡＢＳの対応するリソースにて上り通信を行うようにスケジューリングすることを含む、方法。
【請求項７】
異質ネットワーク中の上り干渉を解決する方法であって、
マイクロ基地局が送信した上り干渉通知を受信し；及び
該マイクロ基地局に上りＡＢＳを送信することを含む、方法。
【請求項８】
異質ネットワーク中の上り干渉を解決するマイクロ基地局であって、
測定端末装置の上りチャンル品質を監視測定するための監視測定ユニット；
上り干渉が出現した時に、上りＡＢＳを取得する取得ユニットであって、該上りＡＢＳ中にマクロセルの端末装置が送信パワーを下げ又はパワー無し送信を行う、取得ユニット；及び
前記上りＡＢＳ上で、上り干渉を受けている端末装置が上り通信を行うようにスケジューリングするためのスケジューリングユニットを含む、マイクロ基地局。
【請求項９】
請求項8に記載のマイクロ基地局であって、
上り干渉が出現した時に、マイクロセルの端末装置に上り干渉を与えているマクロ基地局に通知するための通知ユニットを更に含むマイクロ基地局。
【請求項１０】
請求項9に記載のマイクロ基地局であって、
前記通知ユニットは、更に、通知を送信すると同時に、マクロ基地局に上りＡＢＳの分配を要求する、マイクロ基地局。
【請求項１１】
請求項8に記載のマイクロ基地局であって、
前記取得ユニットは、マクロ基地局が分配した上りＡＢＳを受信するための受信モジュールを更に含む、マイクロ基地局。
【請求項１２】
請求項8に記載のマイクロ基地局であって、
前記取得ユニットは、マクロ基地局が分配した下りＡＢＳに基づいて、計算により、それ相応のアイドル上りサブフレームを得て、該アイドルの上りサブフレームを上りＡＢＳとするための計算モジュールを更に含む、マイクロ基地局。
【請求項１３】
請求項8に記載のマイクロ基地局であって、
上り干渉を受けている端末装置が前記上りＡＢＳにてチャンルＳＲＳを送信して、前記上り干渉を受けている端末装置が上りＡＢＳにおけるチャンル品質を得るように構成し、前記スケジューリングユニットが前記チャンル品質に基づいて、上り干渉を受けている端末装置が前記上りＡＢＳの対応するリソースにて上り通信を行うようにスケジューリングするためのサウンディングユニットを更に含む、マイクロ基地局。
【請求項１４】
異質ネットワーク中の上り干渉を解決するマクロ基地局であって、
マイクロ基地局が送信した上り干渉通知を受信するための受信ユニット；及び
該マイクロ基地局に上りＡＢＳを送信するための送信ユニットを含む、マクロ基地局。
【請求項１５】
コンピュータ可読プログラムであって、
マイクロ基地局において該プログラムを実行する時に、該プログラムは、コンピュータに、前記マイクロ基地局において請求項1〜6の内の任意の１項に記載の異質ネットワーク中の上り干渉を解決する方法を実行させるための、プログラム。
【請求項１６】
コンピュータ可読プログラムを記憶した記憶媒体であって、
該コンピュータ可読プログラムは、コンピュータに、前記マイクロ基地局において、請求項1〜6の内の任意の１項に記載の異質ネットワーク中の上り干渉を解決する方法を実行させる、記憶媒体。
【請求項１７】
コンピュータ可読プログラムであって、
マクロ基地局において該プログラムを実行する時に、該プログラムは、コンピュータに、前記マクロ基地局において請求項7に記載の異質ネットワーク中の上り干渉を解決する方法を実行させるための、プログラム。
【請求項１８】
コンピュータ可読プログラムを記憶した記憶媒体であって、
該コンピュータ可読プログラムは、コンピュータに、マクロ基地局において請求項7に記載の異質ネットワーク中の上り干渉を解決する方法を実行させる、記憶媒体。
【発明の詳細な説明】
【技術分野】
【０００１】
本発明は、通信分野に関し、特に、異質ネットワーク中の上り干渉を解決する方法及び装置に関する。
【背景技術】
【０００２】
異質ネットワークでは、小パワー（電力）基地局、例えば、マイクロ基地局（Pico)を構成することにより、システム容量を向上させ、又は、システムカバレッジを拡張することができる。図1に示すのは、従来技術中のPico基地局の構成図であり、Picoは、マクロ基地局(Macro)のカバレッジ内に構成され、Pico基地局の信号強度は、Macro基地局の信号強度よりも弱い可能性があるので、Picoセルに位置する端末装置（PUE)の下り通信は、Macroセル中の端末装置（MUE)から干渉を受ける可能性がある。従来技術では、マクロ基地局からマイクロ基地局へＡＢＳ（Almost  Blank  Subframe)を送信することにより、下り通信の干渉問題を解決し、Macroセルの端末装置は、ＡＢＳにてパワー無し下り伝送(又は、パワーを下げた下り伝送）を行い、Macroセルの端末装置は、非ＡＢＳにて全パワーで下り伝送を行い；これらのPico基地局に、干渉を受けているPUEがこれらのＡＢＳにて下り伝送を行うことができるようスケジューリングさせ、これにより、下り受信したチャンル品質を保証することができる。
【０００３】
しかしながら、従来技術では、次のような問題を考慮しておらず、即ち、上述の類似する構成の場合、Pico基地局の境界に隣接するマクロセルの端末装置（MUE)の上りデータ伝送が、Picoセル中のPUEの上り受信に強い干渉を与えるとの問題を考慮していない。
【０００４】
なお、上述の技術背景についての紹介は、本発明の技術案を明確且つ完全に説明し、当業者がそれを容易に理解し得るためのものだけである。これらの技術案が本発明の背景技術の部分に記載されているから、上述の技術案は当業者にとって周知であると思われてはいけない。
【発明の概要】
【発明が解決しようとする課題】
【０００５】
本発明の実施例は、異質ネットワーク中の上り干渉を解決する方法及び装置を提供し、従来技術中のマクロセルにおける端末装置が上りの時にマイクロセルの境界における端末装置の上り通信に干渉を与える問題を解決することを課題とする。
【課題を解決するための手段】
【０００６】
本発明の実施例により、異質ネットワーク中の上り干渉を解決する方法が提供され、該方法は、
端末装置の上りチャンル品質を監視測定し；
上り干渉が出現した時に、上りＡＢＳを取得し、該上りＡＢＳにおいてマクロセル中の端末装置が送信パワーを下げ又はパワー無し送信を行い；及び
前記上りＡＢＳ上で、上り干渉を受けている端末装置が上り通信を行うようにスケジューリングすることを含む。
【０００７】
本発明の実施例により、異質ネットワーク中の上り干渉を解決する方法が更に提供され、該方法は、
マイクロ基地局が送信した上り干渉通知を受信し；及び
該マイクロ基地局に上りＡＢＳを送信することを含む。
【０００８】
本発明の実施例により、異質ネットワーク中の上り干渉を解決するマイクロ基地局が更に提供され、該マイクロ基地局は、
端末装置の上りチャンル品質を監視測定するための監視測定ユニット；
上り干渉が出現した時に、上りＡＢＳを取得するための取得ユニットであって、該上りＡＢＳにおいてマクロセルの端末装置が送信パワーを下げ又はパワー無し送信を行う、取得ユニット；及び
前記上りＡＢＳ上で、上り干渉を受けている端末装置が上り通信を行うようにスケジューリングするためのスケジューリングユニットを含む。
【０００９】
本発明の実施例により、異質ネットワーク中の上り干渉を解決するマクロ基地局が更に提供され、該マクロ基地局は、
マイクロ基地局が送信した上り干渉通知を受信するための受信ユニット；及び
該マイクロ基地局に上りＡＢＳを送信するための送信ユニットを含む。
【００１０】
本発明の実施例により、コンピュータ可読プログラムが更に提供され、そのうち、マイクロ基地局において該プログラムを実行する時に、該プログラムは、コンピュータに、前記マイクロ基地局において、上述の異質ネットワーク中の上り干渉を解決する方法を実行させる。
【００１１】
本発明の実施例により、コンピュータ可読プログラムを記憶した記憶媒体が更に提供され、そのうち、該コンピュータ可読プログラムは、コンピュータに、前記マイクロ基地局において上述の異質ネットワーク中の上り干渉を解決する方法を実行させる。
【００１２】
本発明の実施例により、コンピュータ可読プログラムが更に提供され、そのうち、マクロ基地局において該プログラムを実行する時に、該プログラムは、コンピュータに、前記マクロ基地局において、上述の異質ネットワーク中の上り干渉を解決する方法を実行させる。
【００１３】
本発明の実施例により、コンピュータ可読プログラムを記憶した記憶媒体が更に提供され、そのうち、該コンピュータ可読プログラムは、コンピュータに、マクロ基地局において、上述の異質ネットワーク中の上り干渉を解決する方法を実行させる。
【００１４】
本発明の実施例の有益な効果は、マクロセルの端末装置の上りデータ伝送が、マイクロセルの端末装置の上り受信に干渉を与えることを避け、マイクロセル中の端末装置の上りチャンル品質を保証することができる。
【００１５】
後述の説明及び図面を参照することにより、本発明の特定の実施形態を詳細に開示し、本発明の原理が採用され得る形態を明確にする。なお、理解すべきは、本発明の実施形態は、範囲上では、それらに限定されないとのことである。また、添付した特許請求の範囲の精神及び技術的範囲内では、本発明の実施形態は、あらゆる変更、変形及び代替によるものをも含む。
【００１６】
また、一実施形態について説明した及び/又は示した特徴は、同じ又は類似する方式で、一つ以上の他の実施形態に使用し、他の実施形態における特徴と組み合わせ、又は、他の実施形態における特徴を置換することもできる。強調すべきは、「包括/含む」のような用語は、本文に使用時に、特徴、装置（全体）、ステップ又はアセンブリの存在を指すが、一つ又は複数の他の特徴、装置（全体）、ステップ又はアセンブリの存在又は付加を排除しないことをも指すとのことである。
【図面の簡単な説明】
【００１７】
ここで説明する図面は、本発明への更なる理解を提供するためのものであり、本出願のの一部を構成するが、本発明を限定しない。
【図１】従来技術中のPico基地局の構成図である。
【図２】本発明の実施例一に係る異質ネットワーク中の上り干渉を解決する方法のフローチャートである。
【図３】本発明の実施例二に係る異質ネットワーク中の上り干渉を解決する方法のフローチャートである。
【図４】本発明の実施例三に係る異質ネットワーク中の上り干渉を解決するマイクロ基地局の構成図である。
【図５】本発明の実施例四に係る異質ネットワーク中の上り干渉を解決するマクロ基地局の構成図である。
【図６】本発明の実施例五に係る図1の場合に上り干渉を解決する方法のフローチャートである。
【図７】本発明の実施例六に係るマクロ基地局及びマイクロ基地局の構成関係図である。
【図８】本発明の実施例六に係る図7の場合に上り干渉を解決する方法のフローチャートである。
【図９】本発明の実施例七に係る上り干渉を解決する方法のフローチャートである。
【図１０】本発明の実施例に係る上りＡＢＳを示す図である。
【発明を実施するための形態】
【００１８】
本発明の目的、技術案及び利点をより明確にするために、以下、図面を参照しながら本発明の具体的な実施例について詳細に説明する。なお、本発明の例示する実施例及びその説明は、本発明を解釈するために用いられるが、本発明を限定するためのものではない。
【００１９】
実施例一
図2に示すのは、本発明の本実施例に係る異質ネットワーク中の上り干渉を解決する方法のフローチャートである。
【００２０】
この方法は、次のステップを含む。
【００２１】
ステップ201：端末装置の上りチャンル品質を監視測定し；
ステップ202：上り干渉が出現した時に、上りＡＢＳを取得し、該上りＡＢＳにおいてマクロセルにおける端末装置が送信パワーを下げ又はパワー無し送信を行い；
ステップ203：前記上りＡＢＳ上で、上り干渉を受けている端末装置が上り通信を行うようにスケジューリングする。
【００２２】
上述のステップ202では、上り干渉が出現した時に、それを、マイクロセルにおける端末装置に上り干渉を与えているマクロ基地局に通知し、そのうち、上り干渉を与えている全てのマクロ基地局に通知してもよく、例えば、２つ又は２つ以上のマクロ基地局に、マイクロセルにおける端末装置が上り干渉を受けていることを同時に通知してもよく、また、従来のロード指示（Load  Indication)メッセージを用いて該通知を送信してもよい。
【００２３】
上述のステップでは、更に、通知を送信すると同時に、マクロ基地局に、上りＡＢＳの割り当て（分配）を要求してもよい。
【００２４】
上述のステップ202は更に、マクロ基地局が分配した上りＡＢＳを受信することを含む。
【００２５】
上述のステップ202では、上り干渉が出現した時に、マクロ基地局が分配した下りＡＢＳに基づいて、計算により、それ相応のアイドル(idle)上りサブフレームを得て、該アイドル上りサブフレームを上りＡＢＳとしてもよい。
【００２６】
上述のステップ203は更に、上り干渉を受けている端末装置が上りＡＢＳにおけるチャンル品質を取得するために、上り干渉を受けている端末装置が前記上りＡＢＳにてチャンルＳＲＳ（Sounding  Reference  Signal)を送信するように構成し、前記チャンル品質に基づいて、上り干渉を受けている端末装置が前記上りＡＢＳの対応するリソースにて上り通信を行うようにスケジューリングすることを含む。
【００２７】
上述の実施例により、マクロ基地局がマイクロセルにおける端末装置に与える上り干渉を低減することができるため、端末装置の上りチャンル品質を保証することができる。
【００２８】
実施例二
図3に示すのは、本発明の本実施例に係る異質ネットワーク中の上り干渉を解決する方法のフローチャートである。
【００２９】
この方法は、次のステップを含む。
【００３０】
ステップ301：マイクロ基地局が送信した上り干渉通知を受信し；
ステップ302：該マイクロ基地局に上りＡＢＳを送信する。
【００３１】
上述の実施例により、マイクロ基地局へ上りＡＢＳを構成し、マクロ基地局からのマイクロセルの端末装置への上り干渉を低減し、マイクロセルの端末装置の上りチャンル品質を保証することができる。
【００３２】
実施例三
図4に示すのは、本発明の本実施例に係る異質ネットワーク中の上り干渉を解決するマイクロ基地局の構成図である。
【００３３】
このマイクロ基地局は、次のユニットを含む。
【００３４】
監視測定ユニット401：端末装置の上りチャンル品質を監視測定し；
取得ユニット402：上り干渉が出現した時に、上りＡＢＳを取得し、そのうち、該上りＡＢＳにおいてマクロセルの端末装置が送信パワーを下げ又はパワー無し送信を行い；
スケジューリングユニット403：前記上りＡＢＳ上で、上り干渉を受けている端末装置が上り通信を行うようにスケジューリングするために用いられる。
【００３５】
本実施例では、通知ユニット404を更に含み、それは、上り干渉が出現した時に、マイクロセルの端末装置に上り干渉を与えているマクロ基地局に通知するために用いられる。そのうち、上り干渉を与えている全てのマクロ基地局に通知してもよく、例えば、２つ又は２つ以上のマクロ基地局に、該マイクロ基地局が上り干渉を受けていることを同時に通知してもよく、また、従来のロード指示（Load  Indication)メッセージを用いて該通知を送信してもよい。
【００３６】
上述の実施例では、前記通知ユニット404は更に、通知を送信すると同時に、マクロ基地局に、上りＡＢＳの分配を要求してもよい。
【００３７】
前記取得ユニット402は受信モジュール4021を更に含み、それは、マクロ基地局が分配した上りＡＢＳを受信するために用いられる。
【００３８】
前記取得ユニット402は、計算モジュール4022を更に含み、それは、マクロ基地局が分配した下りＡＢＳに基づいて、計算により、それ相応のアイドル上りサブフレームを得て、該アイドル上りサブフレームを上りＡＢＳとするために用いられる。
【００３９】
前記マイクロ基地局は、サウンディングユニット405を更に含み、それは、上り干渉を受けている端末装置が前記上りＡＢＳにてチャンルＳＲＳ（Sounding  Reference  Signal)を送信して、上り干渉を受けている端末装置が上りＡＢＳにおけるチャンル品質を取得するように構成し、前記スケジューリングユニット403が、前記チャンル品質に基づいて、上り干渉を受けている端末装置が前記上りＡＢＳの対応するリソースにて上り通信を行うようにスケジューリングするために用いられる。
【００４０】
上述の実施例により、マクロ基地局からマイクロセルの端末装置への上り干渉を低減することにより、端末装置の上りチャンル品質を保証することができる。
【００４１】
実施例四
図5に示すのは、本発明の本実施例に係る異質ネットワーク中の上り干渉を解決するマクロ基地局の構成図である。
【００４２】
該マクロ基地局は、次のユニットを含む。
【００４３】
受信ユニット501：マイクロ基地局が送信した上り干渉通知を受信し；
送信ユニット502：該マイクロ基地局に上りＡＢＳを送信するために用いられる。
【００４４】
上述の実施例により、マイクロ基地局へ上りＡＢＳを構成し、マクロ基地局からのマイクロセルの端末装置への上り干渉を低減し、マイクロセルの端末装置の上りチャンル品質を保証することができる。
【００４５】
実施例五
本実施例では、図1に示すシナリオを参照する。図１に示す場合に、マイクロ基地局の境界における端末装置（PUE)の上り受信がマクロセル中の端末装置（MUE)の上りデータによる干渉を受けている。
【００４６】
図6に示すのは、図1の場合に上り干渉を解決する方法のフローチャートである。
【００４７】
この方法は、次のステップを含む。
【００４８】
ステップ601：マイクロ基地局の監視測定ユニットは、PUEの上りチャンル品質を監視測定し；
ステップ602：PUEの上り受信がマクロセル中のMUEの上りデータの干渉を受けていることを監視測定した場合に、例えば、UEが送信したＳＲＳに基づいて、計算により、SINRを得て、該値が所定閾値よりも小さい場合、厳重な（酷い）干渉を受けていると見なしてもよく、この場合に、マイクロ基地局の通知ユニットは、例えば、ロード指示（Load  Indication)メッセージにより、該マイクロ基地局の端末装置が強い上り干渉を受けていることをマクロ基地局に通知してもよく、又は、マクロ基地局に上り干渉通知を送信すると同時に、マクロ基地局に、上りＡＢＳの送信（分配）を要求するリクエストを送信してもよい。
【００４９】
ステップ603：マクロ基地局の受信ユニットは、上述のマイクロ基地局のPUEが強い上り干渉を受けているとのような通知を受信した後に、マクロ基地局はステップ604に進み、又は、マクロ基地局はステップ605に進み、処理を行ってもよい。
【００５０】
ステップ604：マクロ基地局は、例えば、上りパワーの制御を行い、MUEの上り伝送パワーを下げ、これにより、PUEへの強い上り干渉を避けることができる。
【００５１】
ステップ605：マクロ基地局の送信ユニットは、該マイクロ基地局に上りＡＢＳを送信し、該上りＡＢＳ中で、マクロセルの端末装置は、送信パワーを下げ又はパワー無し送信を行う。そのうち、送信した上りＡＢＳは、サブフレームを構成するモードにより示されてもよく、即ち、0又は1の形で、無線フレーム中のどのサブフレームが上りＡＢＳであるかを指示してもよい。図10に示すのは、本発明の実施例に係る上りＡＢＳを示す図であり、該図では、周期がＴ個のサブフレームであるとし、0は、該サブフレームが正常なサブフレームであることを表し、1は、上りＡＢＳを表す。
【００５２】
マイクロ基地局が同時に、マクロ基地局に、上りＡＢＳを返すように要求するリクエストを更に送信した時に、本ステップでは、マクロ基地局は、マイクロ基地局が送信した、上りＡＢＳを返すようなリクエストを拒否することもできる。
【００５３】
ステップ606：マイクロ基地局の受信モジュールは、マクロ基地局が構成した上りＡＢＳを受信し、マイクロ基地局のサウンディングユニットは、強い上り干渉を受けている端末装置が上りＡＢＳにおけるチャンル品質を取得するために、強い上り干渉を受けている端末装置が上りＡＢＳ上でチャンルＳＲＳを送信するように構成する。
【００５４】
ステップ607：マイクロ基地局のスケジューリングユニットは、上述のチャンル品質に基づいて、強い上り干渉を受けている端末装置が上りＡＢＳの対応するリソースにて上り通信を行うようにスケジューリングし、例えば、ＳＲＳに基づいて、Picoは、該UEが異なる周波数領域におけるリソース、即ち、物理リソースブロック（Physical  Radio  Block、PRB)上のチャンル品質を得ることができ、Picoは、可用のPRB範囲内で、該UEが上りデータを送信するために、好ましいPRBを選択することができる。
【００５５】
実施例六
図7に示すのは、本発明の本実施例に係るマクロ基地局及びマイクロ基地局の構成関係図である。
【００５６】
図7の場合、マイクロ基地局の境界における端末装置（PUE)は、上り受信の時に、２つのマクロセル中の端末装置（MUE1及びMUE2）の上りデータの干渉を受けている。他の実施例では、より多くのマクロセル中の端末装置の上りデータの干渉を受ける可能性もある。
【００５７】
図8に示すのは、図7の場合に上り干渉を解決する方法のフローチャートである。
【００５８】
この方法は、次のステップを含む。
【００５９】
ステップ801：マイクロ基地局の監視測定ユニットは、PUEの上りチャンル品質を監視測定する。
【００６０】
ステップ802：PUEの上り受信が、マクロセル1中のMUE1及びマクロセル2中のMUE2の上りデータの干渉を受けていることを監視測定した場合、マイクロ基地局の通知ユニットは、例えば、ロード指示（Load  Indication)メッセージにより、該マイクロ基地局の端末装置が強い上り干渉を受けていることをマクロ基地局1及びマクロ基地局2にそれぞれ通知してもよく；又は、更に、上り干渉通知をマクロ基地局1及びマクロ基地局2にそれぞれ送信すると同時に、該マクロ基地局に、上りＡＢＳの送信を要求するリクエストを送信してもよい。
【００６１】
ステップ803：マクロ基地局1及びマクロ基地局2の受信ユニットは、上述のマイクロ基地局のPUEが強い上り干渉を受けているとの通知をそれぞれ受信した後に、マクロ基地局1及びマクロ基地局2はステップ804に進み、又は、マクロ基地局1及びマクロ基地局2はステップ805に進み、処理を行ってもよい。
【００６２】
ステップ804：マクロ基地局1及びマクロ基地局2は、例えば、上りパワーの制御を行い、MUEの上り伝送のパワーを下げることを行ってもよく、これにより、PUEへの強い上り干渉を避けることができる。
【００６３】
ステップ805：マクロ基地局1及びマクロ基地局2の送信ユニットは、それぞれ、該マイクロ基地局に上りＡＢＳを送信し、その送信する上りＡＢＳ中に、マクロ基地局1及びマクロ基地局2の端末装置は、送信パワーを下げ又はパワー無し送信を行う。そのうち、送信する上りＡＢＳは、サブフレームを構成するモードにより示されてもよく、即ち、0又は1の形で、無線フレーム中のどのサブフレームが上りＡＢＳであるかを示し、例えば、1を用いて上りＡＢＳを示してもよい。
【００６４】
マイクロ基地局が同時に、マクロ基地局1及びマクロ基地局2に、上りＡＢＳの返しを要求するリクエストをも送信した時に、本ステップでは、マクロ基地局1及びマクロ基地局2は、マイクロ基地局からの、上りＡＢＳを返すように要求するリクエストを拒否することもできる。
【００６５】
ステップ806：マイクロ基地局の受信モジュールは、マクロ基地局1及びマクロ基地局2が構成した上りＡＢＳを受信し、マイクロ基地局のサウンディングユニットは、強い上り干渉を受けている端末装置が上りＡＢＳ上でチャンルＳＲＳを送信して、強い上り干渉を受けている端末装置が上りＡＢＳにおけるチャンル品質を得るように構成する。
【００６６】
ステップ807：マイクロ基地局のスケジューリングユニットは、上述のチャンル品質に基づいて、強い上り干渉を受けている端末装置が上りＡＢＳの対応するリソースにて上り通信を送信するようにスケジューリングし、例えば、ＳＲＳに基づいて、Picoは、該UEが異なる周波数領域リソース、即ち、物理リソースブロック（Physical  Radio  Block、PRB)上のチャンル品質を得ることができ、Picoは、可用のPRB範囲内で、該UEが上りデータを送信するめに、好ましいPRBを選択してもよい。
【００６７】
実施例七
図9に示すのは、本発明の実施例に係る上り干渉を解決する方法のフローチャートである。
【００６８】
本実施例は、端末装置がネットにアクセスするなどのサービスの場合に用いられてもよい。
【００６９】
本実施例に係る方法は、次のステップを含む。
【００７０】
ステップ901：マイクロ基地局は、自分のためにマクロ基地局が構成した下りＡＢＳを受信する。
【００７１】
ステップ902：マイクロ基地局の監視測定ユニットは、端末装置が強い上り干渉を受けていることを検出すると、それを計算モジュールに通知する。
【００７２】
ステップ903：マイクロ基地局の計算モジュールは、前記下りＡＢＳに基づいて、計算により、それ相応のアイドル上りサブフレームを取得し、例えば、FDD（Frequency  Division  Duplex）の場合、下りＡＢＳがnであるとき、それ相応のn+4の上りサブフレーム中にマクロセルのMUEが上りデータ伝送を行わなければ、該n+4のサブフレームがアイドル上りサブフレームとされてもよい。
【００７３】
ステップ904：マイクロ基地局のサウンディングユニットは、強い上り干渉を受けている端末装置が上述のアイドル上りサブフレーム上でチャンルＳＲＳを送信して、強い上り干渉を受けている端末装置が前記アイドル上りサブフレームにおけるチャンル品質を得るように構成する。
【００７４】
ステップ905：マイクロ基地局のスケジューリングユニットは、上述のチャンル品質に基づいて、強い上り干渉を受けている端末装置がアイドル上りサブフレームの対応するリソースにて上り通信を行うようにスケジューリングし、例えば、ＳＲＳに基づいて、Picoは、該UEが異なる周波数領域リソース、即ち、物理リソースブロック（Physical  Radio  Block、PRB)上のチャンル品質を得ることができ、Picoは、可用のPRB範囲内で、該UEが上りデータを送信するために、好ましいPRBを選択してもよい。
【００７５】
実施例八
本発明の実施例は、コンピュータ可読プログラムを更に提供し、そのうち、マイクロ基地局において該プログラムを実行する時に、該プログラムは、コンピュータに、前記マイクロ基地局において、上述の異質ネットワーク中の上り干渉を解決する方法を実行させる。
【００７６】
本発明の実施例は、コンピュータに可読プログラムを記憶した記憶媒体を更に提供し、そのうち、該コンピュータ可読プログラムは、コンピュータに、前記マイクロ基地局において、上述の異質ネットワーク中の上り干渉を解決する方法を実行させる。
【００７７】
本発明の実施例は、コンピュータ可読プログラムを更に提供し、そのうち、マクロ基地局において該プログラムを実行する時に、該プログラムは、コンピュータに、前記マクロ基地局において、上述の異質ネットワーク中の上り干渉を解決する方法を実行させる。
【００７８】
本発明の実施例は、コンピュータ可読プログラムを記憶した記憶媒体を更に提供し、そのうち、該コンピュータ可読プログラムは、コンピュータに、マクロ基地局において、上述の異質ネットワーク中の上り干渉を解決する方法を実行させる。
【００７９】
本発明の実施例によれば、マクロセルの端末装置の上りデータ伝送がマイクロセルの端末装置の上り受信に干渉を与えることを避け、マイクロセル中の端末装置の上りチャンル品質を保証することができる。
【００８０】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。本発明は、さらに、上述のプログラムを記録している記憶媒体、例えば、ハードディスク、磁気ディスク、光ディスク、DVD、flashメモリなどにも関する。
【００８１】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2015511798.tif 000003
【図２】
2015511798.tif 000004
【図３】
2015511798.tif 000005
【図４】
2015511798.tif 000006
【図５】
2015511798.tif 000007
【図６】
2015511798.tif 000008
【図７】
2015511798.tif 000009
【図８】
2015511798.tif 000010
【図９】
2015511798.tif 000011
【図１０】
2015511798.tif 000012
【国際調査報告】
2015511798.tif 000013
2015511798.tif 000014
2015511798.tif 000015
2015511798.tif 000016